(57)【要約】【課題】  疲労回復に効果的で、保存、取扱い等に便利で、必要な分量が判り易く、型崩れし難く、携帯も容易で、その他の栄養補助も可能で、複合的な栄養補助効果が期待でき、嗅覚を刺激し、良い香りによるリラックス効果が期待でき、精神的（神経的）な安定や疲労回復等により役立ち、均質で、外観上の体裁も良いブドウ糖錠剤を提供する。【解決手段】  主成分となるブドウ糖１と栄養補助剤２と香り補助剤３とからなる栄養補助食品であって、ブドウ糖１に対して、適宜一種類或いは複数種類の栄養補助剤２を添加すると共に、適宜一種類の香り補助剤３を添加し、栄養補助剤２は、ブドウ糖１に対して所定の配合割合で且つ均一に添加し、香り補助剤３は、ブドウ糖１に対して所定の配合割合で且つ均一に添加し、錠剤機により経口可能な寸法に形成すると共に、適宜厚みを有する円形状、四角形状、五角形状、或いは六角形状に固形化して構成する。【選択図】図５
0003112523.tif 000002
【実用新案登録請求の範囲】
【請求項１】
主成分となるブドウ糖と、アミノ酸、カフェイン、テアニン、カテキン、ビタミンＣ、ＤＨＡ、クエン酸等の栄養補助剤と、コーヒー、ミント、ハーブ、レモン、シナモン、ココア、抹茶、緑茶等の香り補助剤とからなる栄養補助食品であって、ブドウ糖に対して、適宜一種類或いは複数種類の栄養補助剤が添加されると共に、適宜一種類の香り補助剤が添加され、栄養補助剤は、ブドウ糖に対して所定の配合割合で且つ均一に添加され、香り補助剤は、ブドウ糖に対して所定の配合割合で且つ均一に添加され、錠剤機により経口可能な寸法に形成すると共に、適宜厚みを有する円形状、四角形状、五角形状、或いは六角形状に固形化して構成したことを特徴とするブドウ糖錠剤。
【考案の詳細な説明】
【技術分野】
【０００１】
本考案は、消化吸収が速く、脳や体にとって極めて重要なエネルギー源となり、精神的（神経的）な疲労回復や、肉体的な疲労回復に優れた効果を発揮するブドウ糖に着目し、これを主成分として利用した栄養補助食品であって、直接食べるようにしても良いし、冷水や、湯や、コーヒー、紅茶等の適宜飲料に溶かして飲むこともでき、その保存、取扱い等がより便利で、しかも、香りによるリラックス効果が期待でき、精神的（神経的）な安定や疲労回復等により役立つように工夫したブドウ糖錠剤に関するものである。
【背景技術】
【０００２】
従来、この種の固形タイプのブドウ糖としては、例えば、ブドウ糖を利用した栄養補助食品があり、この栄養補助食品は、比較的大きな塊状に形成されたものを、そのまま袋詰したようなものが提供されていた。しかしながら、これは比較的大きな塊状であるため、その保存や取扱いが大変不便であった。
【０００３】
そこで、前述のような難点等を鑑み、本願考案者は特許文献１に示すようなブドウ糖錠剤を提案した。
これは、経口可能な寸法に構成されると共に、主成分となるブドウ糖及び１パーセント以下のショ糖脂肪酸エステルからなる栄養補助食品であって、錠剤機により適宜厚みを有する適宜形状に固形化して構成したもので、従来のように、比較的大きな塊状のものを小さく砕く必要がなく、その大きさを簡単に揃えることができ、必要な分量が判り易く、型崩れ等が生じ難く、外観上の体裁が良く、携帯が容易で、手軽に利用でき、その保存、取扱いが便利となる等の優れた効果が得られるようになった。
【０００４】
【特許文献１】実用新案登録第３０９５７６０
【考案の開示】
【考案が解決しようとする課題】
【０００５】
そして、本考案は、前述の如き手段による効果に満足することなく、栄養補助剤を加えることにより、ブドウ糖以外のその他の栄養補助も可能とし、複合的な栄養補助効果が期待できるようにし、また、香り補助剤を加えることにより、香りによるリラックス効果が期待できるようにして、精神的（神経的）な安定や疲労回復等により役立つようになるブドウ糖錠剤を提供すべく案出されたものである。
【課題を解決するための手段】
【０００６】
しかして、前述の如き課題等を達成すべく、本考案のブドウ糖錠剤Ａにあっては、主成分となるブドウ糖１と、アミノ酸、カフェイン、テアニン、カテキン、ビタミンＣ、ＤＨＡ、クエン酸等の栄養補助剤２と、コーヒー、ミント、ハーブ、レモン、シナモン、ココア、抹茶、緑茶等の香り補助剤３とからなる栄養補助食品であって、ブドウ糖１に対して、適宜一種類或いは複数種類の栄養補助剤２が添加されると共に、適宜一種類の香り補助剤３が添加され、栄養補助剤２は、ブドウ糖１に対して所定の配合割合で且つ均一に添加され、香り補助剤３は、ブドウ糖１に対して所定の配合割合で且つ均一に添加され、錠剤機により経口可能な寸法に形成すると共に、適宜厚みを有する円形状、四角形状、五角形状、或いは六角形状に固形化して構成する手段を採用した。
【考案の効果】
【０００７】
従って、本考案によれば、精神的な疲労回復や、肉体的な疲労回復に効果的なブドウ糖錠剤Ａとなり、これを口に入れて食べるようにしても良いし、冷水や、湯や、コーヒー、紅茶等の適宜飲料に溶かして飲むこともでき、しかも、その保存、取扱い等がより便利なブドウ糖錠剤Ａとなる。
【０００８】
また、従来のように、比較的大きな塊状のものを小さく砕く必要もなく、更に、その大きさを簡単に揃えることができ、必要な分量が判り易く、加えて、ブドウ糖錠剤Ａ自体が型崩れし難く、その保存、取扱い等がより便利となり、携帯も容易で、手軽に利用できるブドウ糖錠剤Ａとなる。
【０００９】
そして、ブドウ糖１に対して、適宜一種類或いは複数種類の栄養補助剤２が添加され、栄養補助剤２は、ブドウ糖１に対して所定の配合割合で且つ均一に添加されているので、適宜一種類或いは複数種類の栄養補助剤２によって、ブドウ糖１以外のその他の栄養補助も可能となり、複合的な栄養補助効果が期待でき、より役に立つブドウ糖錠剤Ａとなる。加えて、栄養補助剤２が均一に添加されているので、一つ一つが均質なブドウ糖錠剤Ａを提供できるようになる。
【００１０】
特に、ブドウ糖１に対して、適宜一種類の香り補助剤３が添加され、香り補助剤３は、ブドウ糖１に対して所定の配合割合で且つ均一に添加されているので、適宜一種類の香り補助剤３によって、嗅覚が刺激され、良い香りによるリラックス効果が期待できるようになり、精神的（神経的）な安定や疲労回復等により役立つブドウ糖錠剤Ａとなる。加えて、香り補助剤３が均一に添加されているので、一つ一つが均質なブドウ糖錠剤Ａを提供できるようになる。
【００１１】
しかも、錠剤機により経口可能な寸法に形成すると共に、適宜厚みを有する円形状、四角形状、五角形状、或いは六角形状に固形化して構成したので、ブドウ糖錠剤Ａを手軽に口に入れて食べられるようになると共に、型崩れ等が生じ難く、外観上の体裁も良いブドウ糖錠剤Ａとなる。
【考案を実施するための最良の形態】
【００１２】
以下、本考案を図示例に基づいて詳細に説明する。
図中Ａは、本考案のブドウ糖錠剤を示し、このブドウ糖錠剤Ａは、主成分となるブドウ糖１と、所定量の栄養補助剤２と、所定量の香り補助剤３とからなる栄養補助食品である。すなわち、精神的（神経的な）な疲労回復や、肉体的な疲労回復に優れた効果を発揮するブドウ糖を主成分とし、これに、適宜一種類或いは複数種類の栄養補助剤２によって、ブドウ糖１以外のその他の適宜栄養補助を可能として、複合的な栄養補助効果が期待できるようにし、更に、これらに、嗅覚を刺激するような適宜一種類の香り補助剤３によって、良い香りによるリラックス効果等が期待できるようにして、精神的（神経的）な安定や疲労回復等により役立つように構成したものである。
【００１３】
また、このブドウ糖錠剤Ａは、適宜錠剤機により所定形状に固形化されると共に、経口可能な寸法に構成されている。すなわち、直接口の中に入れて、食し易いような寸法に形成され、携帯も容易で、手軽に利用できるように形成されている。
【００１４】
更に、ブドウ糖錠剤Ａは、例えば、図１に示すように適宜厚みを有する円形状や、図２に示すように適宜厚みを有する四角形状（正方形状）や、図３に示すように適宜厚みを有する五角形状や、図４に示すように適宜厚みを有する六角形状に形成され、型崩れ等が生じ難く、外観上の体裁が良くなるように形成されている。
【００１５】
ところで、前記ブドウ糖１は、適宜打錠機によって固形化し易く、且つ栄養補助剤２や香り補助剤３を均一に添加し易いように粉末状のものが使用される。
【００１６】
また、前記栄養補助剤２は、例えば、アミノ酸、カフェイン、テアニン、カテキン、ビタミンＣ（その他のビタミンでも良い）、ＤＨＡ（ドコサヘキサエン酸）、クエン酸等が使用され、これらを粉末状にしたものが利用される。しかも、次の表１に示すような割合（ブドウ糖１に対する重量パーセント）でブドウ糖１に添加して使用される。すなわち、ブドウ糖１以外のその他の栄養補助も行えるようにして、一つのブドウ糖錠剤Ａで複合的な栄養補助が可能となるように形成される。
【００１７】
【表１】
0003112523.tif 000003
【００１８】
更に、前記香り補助剤３は、例えば、コーヒー、ミント、ハーブ、レモン、シナモン、ココア、抹茶、緑茶等が使用され、これらを粉末状にしたものが利用される（或いは、濃縮レモン果汁のような液体状のものでも良い）。しかも、次の表２に示すような割合（ブドウ糖１に対する重量パーセント）でブドウ糖１に添加して使用される。すなわち、香り補助剤３によって嗅覚が刺激されて、良い香りによるリラックス効果（或いは、精神的興奮が得られるような効果）等が期待できるようにして、一つのブドウ糖錠剤Ａで精神的（神経的）な安定や疲労回復等が可能となるように形成される。
【００１９】
【表２】
0003112523.tif 000004
【００２０】
尚、ブドウ糖錠剤Ａの具体的構成、形状、寸法、ブドウ糖１の具体的割合、栄養補助剤２の具体的成分、割合、添加される数、香り補助剤３の具体的成分、割合等は、図示例のもの等に限定されることなく、適宜自由に設定、変更できるものである。
【００２１】
本考案のブドウ糖錠剤Ａは、前述の如く構成されており、次にその製造手段について説明すると、先ず、略粉末状に形成したブドウ糖１に、粉末状に形成した所定量の栄養補助剤２と、粉末状に形成した所定量の香り補助剤３を加える。そして、これらが均一となるように撹拌した後、これらを錠剤機によって所望形状（適宜厚みを有する円形状、四角形状、五角形状、或いは六角形状）に成型する。
【００２２】
このとき、例えば、略１５００キログラム程度の圧力で成型した場合は、比較的硬いブドウ糖錠剤Ａとなり、直接口の中に入れて食したり、或いは、湯に溶かして使用できるものとなり、また、例えば、略１８０キログラム程度の圧力で成型した場合は、冷水等にも溶け易いブドウ糖錠剤Ａとなり、冷水や湯に溶かして使用できるものとなる。
【００２３】
尚、ブドウ糖錠剤Ａは、適宜合成樹脂製の個装袋に一つ宛或いは複数個宛密封された状態で収容し、携帯がより容易で、より衛生的で、ブドウ糖錠剤Ａをお菓子感覚で何時でも何処でも手軽に食せるように構成しても良い。
また、個装袋内には、空気を一緒に密封しておき、ブドウ糖錠剤Ａが圧迫され難くなるように形成しても良い。
【図面の簡単な説明】
【００２４】
【図１】本考案のブドウ糖錠剤を例示する斜視図である。
【図２】本考案の他のブドウ糖錠剤を例示する斜視図である。
【図３】本考案の他のブドウ糖錠剤を例示する斜視図である。
【図４】本考案の他のブドウ糖錠剤を例示する斜視図である。
【図５】本考案のブドウ糖錠剤を例示する断面図である。
【符号の説明】
【００２５】
Ａ      ブドウ糖錠剤
１      ブドウ糖
２      栄養補助剤
３      香り補助剤
【図１】
0003112523.tif 000005
【図２】
0003112523.tif 000006
【図３】
0003112523.tif 000007
【図４】
0003112523.tif 000008
【図５】
0003112523.tif 000009